(57)【要約】【課題】状態によらず交換レンズまたはカメラボディ等の除湿を行うことができる装置を提供する。【解決手段】交換レンズのマウント部に装着されるマウントキャップ１０に、除湿素子を設けるとともに、除湿素子を駆動するための外部電源接続端子１６または本体内に搭載される内部電源を設ける。マウントキャップ１０に交換レンズ１２のレンズを駆動するためのレンズ駆動部を設け、レンズ駆動部を用いて所定時間間隔でレンズを駆動する。またマウントキャップ１０に湿度センサを設け、湿度センサで検出される湿度が所定値よりも高いときに除湿素子を自動的に駆動する。【選択図】図１
2018151539.tif 000002
【特許請求の範囲】
【請求項１】
除湿素子を備えることを特徴とする交換レンズまたはカメラボディに装着されるキャップ。
【請求項２】
前記除湿素子を駆動するための外部電源用の接続端子、またはキャップ本体内に搭載される内部電源を備えることを特徴とする請求項１に記載のキャップ。
【請求項３】
前記交換レンズのマウント部および／または前記カメラボディのマウント部に装着可能であることを特徴とする請求項１または請求項２に記載のキャップ。
【請求項４】
前記交換レンズのレンズを駆動するためのレンズ駆動手段を備え、前記レンズ駆動手段が所定時間間隔で前記レンズを駆動することを特徴とする請求項３に記載のキャップ。
【請求項５】
湿度センサを更に備え、前記湿度センサによる湿度が所定条件でのみ前記除湿素子を駆動することを特徴とする請求項１〜４の何れか一項に記載のキャップ。
【請求項６】
前記キャップが、前記カメラボディのマウント部に装着され、前記カメラボディの電源部から電力供給を受けられる手段を有することを特徴とする請求項１または請求項２に記載のキャップ。
【発明の詳細な説明】
【技術分野】
【０００１】
本発明は、交換レンズまたはカメラボディに装着されるキャップに関する。
【背景技術】
【０００２】
カメラを湿気の多い場所で使用し、または長期間保存する場合、レンズ表面や光学素子に凝結した水分に空気中に浮遊している塵やカビの菌体が付着し、カビが生育する可能性がある。そのため除湿を行うことができる除湿素子を備えたカメラや、防かび防湿材を備えた交換レンズは既に知られている。
【０００３】
例えば、カメラ内の除湿を行い結露の発生を防止するカメラとして、カメラボディ内に固体高分子電解質膜を用いた除湿素子を設け、カメラボディの電源がＯＮされている間、カメラボディ内の除湿・防カビを行う構成が提案されている（特許文献１）。また、交換レンズ内に、蒸散性防カビ剤を担持させた乾燥剤を複数配置して除湿・防カビを行う構成も提案されている（特許文献２）。
【０００４】
しかし、特許文献１の構成では、カメラボディの電源がＯＮの間しか除湿されない。また乾燥剤には許容量があるため効果を継続していくことが難しい。
【先行技術文献】
【特許文献】
【０００５】
【特許文献１】特開２０１０−２００２３７号公報
【特許文献２】特開２００３−１７２８６０号公報
【発明の概要】
【発明が解決しようとする課題】
【０００６】
本発明は、状態によらず交換レンズまたはカメラボディ等の除湿を行うことができる装置の提供を目的としている。
【課題を解決するための手段】
【０００７】
本発明の交換レンズまたはカメラボディに装着されるキャップは、除湿素子を備えることを特徴としている。
【発明の効果】
【０００８】
本発明によれば、状態によらず交換レンズまたはカメラボディ等の除湿を行うことができる装置を提供できる。
【図面の簡単な説明】
【０００９】
【図１】本発明の第１実施形態の除湿機能付キャップが装着された交換レンズの構成を示す模式的な側断面図である。
【図２】キャップ側回路とレンズ側回路の構成を示すブロック図である。
【図３】キャップ側回路とレンズ側回路で実行される除湿処理の流れを示すフローチャートである。
【図４】第２実施形態の除湿機能付キャップが装着されたカメラボディの構成を示す模式的な側断面図である。
【図５】第２実施形態の変形例の除湿機能付キャップが装着されたカメラボディの構成を示す模式的な側断面図である。
【図６】第３実施形態の除湿機能付キャップが装着された交換レンズおよびカメラボディの構成を示す模式的な側断面図である。
【図７】第４実施形態の除湿機能付キャップが装着された交換レンズの構成を示す模式的な側断面図である。
【発明を実施するための形態】
【００１０】
以下、本発明の実施の形態を、図面を参照して説明する。図１は、本発明の第１実施形態の除湿機能付キャップが装着された交換レンズの構成を示す模式的な側断面図である。
【００１１】
第１実施形態の除湿機能付キャップ１０は、交換レンズ１２のマウントキャップである。すなわちマウントキャップ１０は、交換レンズ１２をカメラボディ（不図示）に接続する側の交換レンズ１２の開口を密閉するためのキャップである。マウントキャップ１０は、交換レンズマウント１３にバヨネット機構を用いて着脱される。図示例では、マウントキャップ１０の内側に、除湿素子（不図示）を備えるキャップ側回路１４が配置される。またマウントキャップ１０の外周部には例えばＵＳＢ端子などを利用した外部電源接続端子１６が配置される。交換レンズ１２へマウントキャップ１０を装着すると、キャップ側回路１４は連結部１８を介して交換レンズ１２内に設けられたレンズ側回路２０に接続される。なお、連結部１８には、例えば、交換レンズ１２のマウント部に設けられ、カメラボディとの電気的な接続に用いられるマウントピンなどが用いられる。
【００１２】
図２は、キャップ側回路１４およびレンズ側回路２０の構成を示すブロック図である。レンズ側回路２０は、一般的に交換レンズ１２に装備される制御回路であり、レンズＣＰＵ２００を中心として構成される。図２の例では、連結部１８は、電源供給用の電源ピン１８Ａと、制御信号やデータを送受信するための複数のマウントピン１８Ｂ、グランドピン１８Ｃから構成される。すなわち、交換レンズ１２のマウントにマウントキャップ１０が装着されると、電源がマウントキャップ１０側から供給される。
【００１３】
レンズ側回路２０において、電源ピン１８Ａは、ＤＣＤＣコンバータ２０１を介してレンズＣＰＵ２００の電源ポート（ＶＣＣ）に接続されるとともに、例えばフォーカスレンズやズームレンズを駆動するためのモータ２０２を駆動するためのドライバＩＣ２０３に接続され電力を供給する。なお、レンズＣＰＵ２００のポート１は、レンズマウントピン１８Ｂに接続され、キャップ側回路１４やカメラボディ（不図示）との間で制御信号やデータの送受信が行われる。またレンズＣＰＵ２００のポート２は、ドライバＩＣ２０３に接続され、モータ２０２を駆動制御するための制御信号が出力される。
【００１４】
一方、キャップ側回路１４は、キャップＣＰＵ１４０を中心に構成される。キャップ側回路１４には、内部電源１４１（Ｖｂａｔｔ）または外部電源接続端子１６から電源ライン１４２を通して電力が供給される。すなわち、外部電源接続端子１６の一方の端子は電源ライン１４２に、他方の端子はキャップ側回路１４のグラウンドに接続され、また内部電源１４１の一方の極は電源スイッチ１４１Ｓを介して電源ライン１４２に接続され、他方の極はグラウンドに接続される。なお、外部電源接続端子１６は、ＵＳＢなどの何等かの規格に沿った端子や専用の端子であってもよく、他の装置や商用電源などの外部電力から電力供給を受けられるものであればよい。
【００１５】
キャップＣＰＵ１４０の電源ポート（ＶＣＣ）は、例えばＤＣＤＣコンバータ１４３を介して電源ライン１４２に接続される。また、マウントキャップ１０の電源ピン１８Ａは、スイッチ素子１４４を介して電源ライン１４２に接続され、スイッチ素子１４４のオン／オフはキャップＣＰＵ１４０のポートＰ３２を通して行われる。
【００１６】
キャップＣＰＵ１４０のポート１は、マウントピン１８Ｂに接続され、レンズ側回路２０との間で制御信号やデータの送受信が行われる。キャップＣＰＵ１４０のポート２は、湿度センサ１４５に接続され、湿度センサ１４５は、マウントキャップ１０で密閉された交換レンズ１２内の湿度を検出する。また、キャップＣＰＵ１４０のポートＰ３０は、モードスイッチ１４６に接続され、ポートＰ３１は、例えば固体高分子電解質膜等を用いた除湿素子１４７とグラウンドの間のオン／オフを行うスイッチ素子１４８に接続される。すなわち、除湿素子１４７の一方の電極は、電流制限抵抗を介して電源ライン１４２に接続され、他方の電極は、スイッチ素子１４８を介してグラウンドに接続される。
【００１７】
次に図３のフローチャートを参照して、第１実施形態のキャップＣＰＵ１４０において実行される除湿処理（図３（Ａ）のフロー）、およびレンズＣＰＵ２００において実行される除湿処理（図３（Ｂ）のフロー）について説明する。
【００１８】
マウントキャップ１０の電源スイッチ１４１Ｓがオンされ、または外部電源接続端子１６に外部電源が接続されると、電源ライン１４２からＤＣＤＣコンバータ１４３を通してキャップＣＰＵ１４０へ電源ＶＣＣが供給され、図３（Ａ）のステップＳ１００が実行される。ステップＳ１００では、ポートＰ３１がＬｏにされ、スイッチ素子１４８がオフされて除湿素子１４７がオフ状態とされる。またこれと同時に、ポートＰ３２がＨｉにされ、スイッチ素子１４４がオフされ、ピン１８Ｂを通した交換レンズ１２への電力供給はオフ状態とされる。
【００１９】
次にステップＳ１０２において、ポートＰ３０がＬｏであるか否か、即ちモードスイッチ１４６がオンされているか否かが判定される。モードスイッチ１４６がオンで、モードがオートモードに設定されていると、ステップＳ１０４において湿度センサ１４５からの出力がポート２を介して入力される。そしてステップＳ１０６にいて、検出された湿度が指定湿度以上であるか否かが判定される。検出湿度が指定湿度以上のときには、ステップＳ１０８において、ポートＰ３１がＨｉに設定され、スイッチ素子１４８がオンされ、除湿素子１４７がオンされる。一方、ステップＳ１０６において検出湿度が指定湿度以上でないと判定されると、ステップＳ１１０において、ポートＰ３１がＬｏに設定され、スイッチ１４８がオフされ、除湿素子１４７がオフされる。
【００２０】
ステップＳ１０８またはステップＳ１１０が実行されると、ステップＳ１１２において所定のレンズ駆動指定時間が経過したか否かが判定される。指定時間が経過していないと判定される場合には、ステップＳ１０２に処理は戻り、同様の処理が繰り返される。指定時間が経過していると判定されると、ステップＳ１１４において、ポートＰ３２がＬｏにされ、スイッチ素子１４４がオンされる。これにより電源ピン１８Ａを介して電源ライン１４２が、レンズ側回路２０の電源ライン２０４に接続され、レンズ側回路２０の電源がオンされ、レンズＣＰＵ２００において図３（Ｂ）のフローが起動される。
【００２１】
次にステップＳ１１６において、レンズ通信命令がポート１、マウントピン１８Ｂを介して送信され、例えばフォーカスレンズ（ズームレンズでもよい）をテレ端からワイド端まで駆動する指示がレンズＣＰＵ２００のポート１へと送られる。ステップＳ１１８では、レンズＣＰＵ２００からポート２を介して、フォーカスレンズのテレ端〜ワイド端間の駆動が終了したことを示す信号（終了信号）を受信したか否かが判定され、受信するまで同判定（Ｓ１１８）が繰り返される。終了信号が受信されると、ステップＳ１２０において、ポートＰ３２がＨｉにされ、スイッチ素子１４４がオフされ、処理はステップＳ１０２へ戻り同処理が繰り返される。すなわち、電源ライン１４２からのレンズ側回路２０への電力供給は停止される。
【００２２】
すなわち、ステップＳ１０２〜Ｓ１１０では、除湿素子１４７のオン／オフが制御され、ステップＳ１１２〜Ｓ１２０では、所定のレンズ駆動指定時間を単位に定期的にフォーカスレンズが駆動され、交換レンズ１２内の空気が移動される。
【００２３】
一方、前述したように、キャップＣＰＵ１４０においてステップＳ１１４が実行されると、図３（Ｂ）に示されるレンズＣＰＵ２００のフローが実行される。同フローでは、まずステップＳ２００において、交換レンズ１２の初期化が行われ、ステップＳ２０２において、マウントピン１８Ｂを介してポート１からキャップＣＰＵ１４０から通信命令を受信したか否かが判定される。すなわち、ポート１を介して図３（Ａ）のステップＳ１１６の命令を受信したか否かが判定され、同処理（ステップＳ２０２）は、通信命令の受信が確認されるまで繰り返される。
【００２４】
ステップＳ１１６に対応する通信命令が受信されると、ステップＳ２０４においてモータ２０２が駆動され、フォーカスレンズが例えばテレ端からワイド端の間で１行程分駆動される。フォーカスレンズのテレ端からワイド端への移動が終了すると、ステップＳ２０６において、ポート１を通して終了信号がキャップＣＰＵ１４０へと送られ、この信号の受信は図３（Ａ）のステップＳ１１８で確認される。なお、ステップＳ２０６において終了信号の送信が完了すると、処理はステップＳ２０２へと戻る。
【００２５】
以上のように、第１実施形態のマウントキャップは、内部電源または外部電源の電力を用いて除湿素子を駆動可能とすることで、保管状態にあるか所持状態にあるかなど、交換レンズの状態によらず、交換レンズの除湿を行うことができる。また、本実施形態では、湿度センサを用いたオートモードを設けることで、除湿が必要な条件でのみ除湿素子を駆動することができ、電力の消費抑えることができる。更に本実施形態では、レンズを駆動することで、レンズ鏡筒内の空気を移動させ、効率的な除湿を行うことができる。
【００２６】
次に図４の模式的な側断面図を参照して、カメラボディに装着される本発明の第２実施形態の除湿機能付キャップについて説明する。
【００２７】
第２実施形態の除湿機能付キャップは、交換レンズが取り外されたカメラボディ２２のマウント部２２Ｍに装着されるボディキャップ２４である。ボディキャップ２４は、第１実施形態のキャップ側回路１４の中の除湿素子１４７、内部電源１４１、外部電源接続端子１６のみを主に搭載したキャップ側回路２４０を備える。すなわち、第２実施形態のボディキャップ２４は、電源スイッチ１４１Ｓに対応するスイッチがオンされると、その間、内部電源または外部電源接続端子１６を介して接続される電源を通して除湿素子が駆動される。
【００２８】
以上の構成により、第２実施形態のボディキャップによれば、カメラボディ内の除湿をボディキャップ内蔵の電源または外部電源を用いて継続的に行うことができる。
【００２９】
図５は、第２実施形態のボディキャップの変形例である。変形例のボディキャップ２５は、例えばカメラボディ２２のマウントピンの電源ピン２６に接続される接点を備える。すなわち、キャップ装着時、ボディキャップ２５のキャップ側回路２５０は、外部電源接続端子１６の他に、電源ピン２６を介してカメラボディ２２の電源２７と接続される。そして、外部電源接続端子１６と電源ピン２６の何れをキャップ側回路２５０に接続するかは、ボディキャップ２５に設けられた電源切替回路２８により、手動また自動で切り替えられる。
【００３０】
図６は、第３実施形態の除湿機能付キャップの構成を示す模式的な側面図である。第３実施形態の除湿機能付キャップは、カメラボディ２２と交換レンズ１２との間を連結するボディ／レンズ連結キャップ３０である。第３実施形態のボディ／レンズ連結キャップ３０の回路構成は、第１実施形態のキャップ側回路１４と同様にすることもできるが、第２実施形態やその変形例と同様の構成にすることもできる。また、第１実施形態と第２実施形態の変形例を組み合わせた構成とすることもできる。なお、図６には、第１実施形態と同様のキャップ側回路１４を搭載した場合を例示する。
【００３１】
第３実施形態のボディ／レンズ連結キャップ３０によれば、交換レンズ１２内およびカメラボディ２２内の除湿を同時に継続的に行うことができる。
【００３２】
図７は、第４実施形態の除湿機能付キャップの構成を示す模式的な側面図である。第４実施形態の除湿機能付キャップは、交換レンズ１２のフロント側を密閉するためのフロントキャップ３２である。第４実施形態のフロントキャップ３２の回路構成は、第２実施形態と同様である。
【００３３】
第４実施形態においても、内部電源または外部電源を用いて、交換レンズの除湿を継続的に行うことができる。
【００３４】
以上のように、本実施形態およびその変形例によれば、除湿素子をキャップに設けることにより、保管状態にあるか所持状態にあるかなどの状態によらず交換レンズまたはカメラボディの除湿を行うことができる。また、除湿素子を駆動するための電源にカメラボディを起動する電源とは別の電源系を設けることで、カメラボディやレンズ鏡筒が起動していなくとも除湿素子を駆動し、除湿効果を継続的に得ることができる。
【００３５】
また、本実施形態によれば、除湿機能を交換レンズ単体にアクセサリーとして付加できるため、交換レンズを使用しない状況においても、デシケータなどの大がかりな保管庫を必要としない。つまり、高価で設置場所をとるデシケータを購入しなくとも除湿しながらのレンズが保管できる。更に、本実施形態の除湿機能付キャップは、携帯性に優れているため、長中期的な外出、例えば旅行の際の荷物として嵩張らず、レンズのコンディションを一定に保つことができる。また、電源に外出先でも入手が容易な乾電池も使用可能なので利便性が高い。更に、外部電源を設けることで、交換レンズ単体、または電池を装着していない保管時でも本実施形態のキャップを装着することで容易に除湿を行うことができる。
【００３６】
なお、第２実施形態やその変形例、また第４実施形態においても、湿度センサを設け、第１実施形態と同様にオート除湿モードや、常時除湿モードを設けてもよい。また、カメラボディにキャップを装着する構成において、カメラボディ内の一部の駆動機構（例えばミラー、シャッタ等）を第１実施形態におけるレンズの駆動と同様に駆動させて空気の移動をさせても良く、ボディ／レンズ連結キャップにおいては、レンズとカメラボディ内の一部の駆動機構の両方を、同時または別のタイミングで駆動する構成とすることもできる。更に、湿度センサを備えた構成においては、湿度センサの検知結果に基づいて（例えば所定湿度以上のときなどに）レンズやカメラボディ内の一部の駆動機構を駆動する構成とすることもできる。
【００３７】
本実施形態では、マウントやフロント部に装着される専用のキャップを例に説明しているが、第３実施形態（図６）のアダプタの形態から、他方のカバーまたはフロントへの装着の補助部材を設けることで各部に対して兼用できる構成とすることもできる。フロント、マウント兼用型とする場合には、外部電源を備えることで、いずれの形態でも使用可能になる。
【符号の説明】
【００３８】
１０  マウントキャップ（除湿機能付キャップ）
１２  交換レンズ
１４  キャップ側回路
１６  外部電源接続端子
１８  マウントピン
２０  レンズ側回路
２２  カメラボディ
２４、２５  ボディキャップ（除湿機能付キャップ）
３０  ボディ／レンズ連結キャップ（除湿機能付キャップ）
３２  フロントキャップ（除湿機能付キャップ）
１４０  キャップＣＰＵ
１４１  内部電源
１４５  湿度センサ
１４７  除湿素子
２００  レンズＣＰＵ
【図１】
2018151539.tif 000003
【図２】
2018151539.tif 000004
【図３】
2018151539.tif 000005
【図４】
2018151539.tif 000006
【図５】
2018151539.tif 000007
【図６】
2018151539.tif 000008
【図７】
2018151539.tif 000009